(57)【特許請求の範囲】
【請求項１】
厚紙を主材とする略四角形の主基板の少なくとも１辺縁に板状体を載置する略四角形の載置部が、該辺縁の内折線を介して、延設されており、
該載置部の対向する自由辺縁寄り位置には、該載置部に載置され収納される板状体の外形軌跡を横切りうる長さのスリットが自由辺縁と同一方向に形成されており、
前記スリットと自由辺縁との間の対称位置の一対の外側片が、前記載置部上に折り重ねられて、板状体の固定フラップとされ、
前記載置部は、前記内折線を介して主基板へ折重ねられ、
さらに、主基板の前記１辺縁を挟む両側の辺縁の１つには、前記載置部の載置面上に折り重ねられる板状体の保持板が連設されており、
前記スリットが板状体の辺縁の挿入間隙とされ、固定用フラップと載置部の載置面との間が板状体保持間隙とされている板状体の収納ケース。
【請求項２】
主基板の対向する２辺縁に板状体の載置部が内折線を介して延設されている請求項１記載の板状体の収納ケース。
【請求項３】
主基板に連設された保持板の自由辺縁の何れか一つに板状体載置部が内折線を介して連設されている請求項１記載の板状体の収納ケース。
【請求項４】
主基板に連設されている保持板に内折線を介して第２の主基板が連設され、該第２の主基板の少なくとも１辺縁に内折線を介して板状体の載置部が連設されている請求項１または請求項２記載の板状体の収納ケース。
【請求項５】
第１の主基板と保持板と第２の主基板との各々の少なくとも一つの辺縁に内折線を介して板状体の載置部が連設されている請求項４記載の板状体の収納ケース。
【請求項６】
スリットが円盤形の板状体の外形軌跡に合致する円弧スリットとされている請求項１，請求項２，請求項３，請求項４または請求項５記載の板状体の収納ケース。
【請求項７】
スリットが直線スリットとされている請求項１，請求項２，請求項３，請求項４または請求項５記載の板状体の収納ケース。
【発明の詳細な説明】
【０００１】
【発明の属する技術分野】
本発明は、コンパクトディスクやフロッピーディスクの如き板状体を挿脱自在とした板状体の収納用ケースに関する。
【０００２】
【従来の技術】
厚紙を折り畳んで形成した簡単な構造のＣＤ収納用パッケージとしては、図１６に示した実開平２−４８５９２号公報に開示されるものとか、図１７に示した実開平４−１１２０８号公報に開示されるものとかが提案されている。
【０００３】
図１６に示すものは、厚紙製の基板ＡのＣＤ載置部位に、帯状ホルダーＢの両端Ｓ，Ｔを接着等の手段で固着し、Ｓ，Ｔ間の長さをＣＤ即ちコンパクトデイスクＥの外径より短寸とし、矢印Ｘ方向へのＣＤの脱出を防止つつ、ＣＤ即ちコンパクトディスクＥを挟持すると共に、帯状ホルダーＢの中央に形成した耳片ＦをＣＤのスピンドル穴に挿入してＣＤを基板Ａ上に係止し、基板Ａに連続するカバー片ＧでＣＤを覆う構造とされている。
【０００４】
また図１７に示すものは、基板Ｈに連設された折返し片Ｉを基板Ｈ上に折り重ね、両側の折返し縁Ｊ，Ｋを内折して基板Ｈに接着し、基板Ｈと折返し片Ｉとの間にＣＤ挿入ポッケトＬを形成し、ポッケトＬに挿入したＣＤを基板Ｈに連設されたカバー片Ｍで覆う構造とされている。
【０００５】
何れの構造のものも、パッケージの構造が簡単であるものの、カバー片Ｇ，Ｍが開かれている場合は、ＣＤが矢印Ｙ方向に脱出するのを防止する機能がなく、ＣＤ収納の確実性に欠け、購買意欲をそそる機能性，意匠性を欠く等の問題点を有している。
【０００６】
図１６，図１７に示すごとき簡単な構造のパッケージに代えて複雑な折り畳み構造により、ＣＤ収納の確実性を向上させたパッケージも提案されているが、使用する紙料の使用量の増大、成型折り畳み工程の増加等に起因するコスト増を招く問題がある。
【０００７】
ＣＤ収納用パッケージは、ＣＤの確実な収納保護という機能上の特性のほかにＣＤの挿脱の容易性も重要な特性の一つであるが、前述の如き複雑な折畳み構造のパッケージは、ＣＤの挿脱に、手間がかかるという問題も有してる。
【０００８】
【発明が解決しようとする課題】
本発明は、平型板材料製のブランクの形状が簡単であり、切断，折曲げ折畳み等加工が容易であり、板状体を収容し固定する載置部及びこれに対応する折曲げ壁面，固定フラップ等の構成部分が簡単で、板状体の保持と保護とが確実であり、かつ挿脱が簡便な板状体収納用パッケージを提供することを課題としている。
【０００９】
【課題を解決するための手段】
請求項１の発明では、厚紙を主材とする略四角形の主基板の少なくとも１辺縁に板状体を載置する略四角形の載置部を該辺縁の内折線を介して延設した。
【００１０】
該載置部の対向する自由辺縁寄り位置には該載置部に載置され、収納される板状体の外形軌跡を横切りうる長さのスリットを自由辺縁と同一方向に形成した。
【００１１】
前記スリットと自由辺縁との間の対称位置の一対の外側片を前記載置部上に折り重ねられる板状体の固定用フラップとした。
【００１２】
前記載置部は、主基板の前記内折線を介して主基板へ折り重ねられる構造とした。
【００１３】
主基板の前記１辺縁を挟む両側の辺縁の１つには前記載置部の載置面上に折り重ねられる板状体の保持板を連設した。
【００１４】
前記スリットを板状体辺縁の挿入間隙とし、固定用フラップと載置部の載置面との間が板状体保持間隙とするという構成とした。
【００１５】
請求項２の発明では、主基板の対向する２辺縁に板状体載置部が内折線を介して延設されている請求項１記載の板状体の収納ケースの構成とした。
【００１６】
請求項３の発明では、主基板に連設された保持板の自由辺縁の何れか一つに、板状体載置部が内折線を介して連設されている請求項１記載の板状体の収納ケースの構成とした。
【００１７】
請求項４の発明では、主基板に連設されている保持板に、内折線を介して第２の主基板が連設され、該第2の主基板の少なくとも1辺縁に内折線を介して板状体の載置部が連設されている請求項１または請求項２記載の板状体の収納ケースの構成とした。
【００１８】
請求項５の発明では、第１の主基板と保持板と第２の主基板との各々の少なくとも一つの辺縁に内折線を介して板状体載置部が連設されている請求項４記載の板状体の収納ケースの構成とした。
【００１９】
請求項６の発明では、スリットが円盤形板状体の外形軌跡に合致する円弧スリットとされている請求項１，請求項２，請求項３，請求項４又は請求項５記載の板状体の収納ケースの構成とした。
【００２０】
請求項７の発明では、スリットが直線スリットとされている請求項１，請求項２，請求項３，請求項４または請求項５記載の板状体の収納ケースの構成とした。
【００２１】
【発明の実施の形態】
図１，図２，図３及び図４は、請求項１及び請求項６又は請求項７の発明を併せ適用した第１，第２の実施例を示したもので、厚紙を主材とする略四角形の主基板１の１辺縁３に配設された内折線４を介して、図１では略四角形の板状体の載置部５Ａ、図４では５Ｂが延設されており、前記載置部５Ａ，５Ｂは、主基板１に向かって折り曲げられ主基板１上に重ね合わせられる形状とされている。
【００２２】
図１，図２に示す第１の実施例のものは、請求項１と請求項６の両発明を併せ適用したもので、収納される板状体８Ａが円盤形のものであって、前記載置部５Ａの中心を通り、主基板１の中心から延長された中心線６に対向する図２に示す自由辺縁７寄りの載置面には、円盤形の板状体８Ａの外径の円軌跡３１に合致し、該円軌跡３１を横切り得る長さのスリット９Ａが、自由辺縁７と同一方向に形成されている。
【００２３】
図３，図４は、第２の実施例たる請求項１と請求項７の両発明を併せ適用したものを示すもので、板状体８Ｂが、略四角形の角形形状のものであって、載置部５Ｂの前記中心線６に対向する自由辺縁７寄りの載置面上には、角形の板状体８Ｂの外形軌跡より僅かに大径の軌跡３２を横切り得る長さの直線スリットをく字形としたスリット９Ｂが自由辺縁７と同一方向に形成されている。
【００２４】
図１５は、第３の実施例たる請求項１と請求項７との両発明を併せ適用したものを示すもので、板状体８Ｃが、略四角形の角形の形状のものであって、載置部５Ｃの対向する自由辺縁７寄りの載置面上には、角形の板状体８Ｃの外形軌跡３３を横切り得る長さの直線形状とした直線スリット９Ｃが、自由辺縁７と同一方向に形成されている。
【００２５】
図１，図２，及び図３，図４に示す第１，第２の実施例並びに図１５に示す第３の実施例において、前記載置部５Ａ，５Ｂ，５Ｃの載置面上の前記スリット９Ａ，９Ｂ，９Ｃと自由辺縁７との間に、図２，図４，図１５の図中に示されるごとく二重の内折線１０ａ，１０ｂが前記スリット９Ａ，９Ｂ，９Ｃを横切って配設されており、該内折線１０ａ，１０ｂより外側部分の外側辺が、該内折線１０ａ，１０ｂを介して、載置面上に折り重ねられて前記板状体８Ａ，８Ｂ，８Ｃを固定する固定フラップ１２Ａ，１２Ｂ，１２Ｃとされており、第１の実施例に示される円盤形の板状体８Ａは、図１，図２に示される固定フラップ１２Ａにより、第２の実施例の角形の板状体８Ｂは図３、図４に示される固定フラップ１２Ｂにより、第３の実施例の別の角形の板状体８Ｃのものは、図１５に示される固定フラップ１２Ｃにより、それぞれ収納固定される。
【００２６】
図１５は、第３の実施例の前記固定フラップ１２Ｃとその折り曲げによる前記板状体８Ｃとの構造関係を示しており、前記中心線６の右側の載置面では、固定フラップ１２Ｃが折り曲げられていない状態を示しており、前記板状体８Ｃの端縁３４を横切る位置に、直線スリット９Ｃ並びに二重の内折線１０ａ，１０ｂが配置されており、前記中心線６の左側の載置面では、前記固定フラップ１２Ｃが、前記内折線１０ｃ，１０ｂを介して内側へ折り畳まれ、前記端縁３４が、前記スリット９Ｃより突出した状態において、前記板状体８Ｃが収納固定されている構造関係が示されている。
【００２７】
前記スリット９Ａ，９Ｂ，９Ｃは、三者ともに板状体８Ａ，８Ｂ，８Ｃの辺縁の厚さが考慮された挿入間隙を有して形成されており、固定用フラップ１２Ａ，１２Ｂ，１２Ｃと前記載置部５Ａ，５Ｂ，５Ｃの載置面との間が、それぞれ板状体８Ａ，８Ｂ，８Ｃの保持間隔とされている。
【００２８】
前記固定用フラップ１２Ａ，１２Ｂ，１２Ｃの図中に示される二重の内折線１０ａ，１０ｂの間には、前記板状体８Ａ，８Ｂ，８Ｃの厚さプラス載置面の板材の厚さに略相当する間隔が設けられており、これにより前記フラップ１２Ａ，１２Ｂ，１２Ｃが前記板状体８Ａ，８Ｂ，８Ｃ上に折り重ねられたとき、載置面上で板材が盛り上がる事なく平坦に載置され収納される。
【００２９】
前記主基板１の１辺縁３を挟む両側の辺縁１１の一つには、図示の如く二重の折曲線１５ａ，１５ｂを介して保持板１４が連設されており、前記主基板１上に内折線４を介して折り重ねられた載置部５Ａ，５Ｂ，５Ｃに対して、さらに前記折曲線１５ａ，１５ｂを介して保持板１４が外側より折り重ねられる形状とされている。
従って前記載置部５Ａ，５Ｂ，５Ｃを中間に置いて、主基板１と保持板１４とにより、載置面上の板状体８Ａ，８Ｂ，８Ｃを挟持するという積層形状となるから、板状体８Ａ，８Ｂ，８Ｃの収納はより確実となる。
【００３０】
保持板１４の外側縁には、図示のごとく二重の折曲線１６ａ，１６ｂを介して結合フラップ１８が留め掛け用の舌片１７をその端縁に配置して延設されており、保持板１４が前記載置部５Ａ，５Ｂ，５Ｃ上に折り重ねられたとき、結合フラップ１８の舌片１７が、主基板１の端部に穿設された係合スリット１９に挿入係止される形状とされており、従って前述のごとく積層された面がより確実に保持されることになる。
【００３１】
主基板１の辺縁１１の折曲部分に配設された二重の折曲線１５ａ，１５ｂの線間には、板状体８Ａ，８Ｂ，８Ｃを含む載置部５Ａ，５Ｂ，５Ｃの厚さプラス主基板１及び保持板１４の厚さに略相当する間隔が設けられているから、各板面が積層され、３層とされた形状となっても、相互に平行な板面が確保できるので、板状体８Ａ，８Ｂ，８Ｃの収納及び保護と言う機能が確実に果される構造とされたものである。
【００３２】
前記板状体８Ａ，８Ｂ，８Ｃを折り畳まれた板状体収納ケースから取り出す場合には、先ず舌片１７を係合スリット１９より外し、前述の折り畳み順序とは反対の順序に沿つて、前記保持板１４を載置部５Ａ，５Ｂ，５Ｃ上から起こし、次いで載置部５Ａ，５Ｂ，５Ｃを主基板１に重ねられた状態から起こし、次いで該フラップ１２Ａ，１２Ｂ，１２Ｃを折り返して板状体８Ａ，８Ｂ，８Ｃが解放された状態にすれば、板状体８Ａ，８Ｂ，８Ｃは容易に取り出すことができる。
【００３３】
前記載置部５Ａ，５Ｂ，５Ｃの載置面の辺縁の前記板状体８Ａ，８Ｂ，８Ｃを臨む位置に指掛け用切欠２０が配設されており、板状体８Ａ，８Ｂ，８Ｃの挿入，取り出しの際に、前記切欠２０を利用すれば容易に板状体８Ａ，８Ｂ，８Ｃの端縁が把持できるから、挿脱作業が容易となるし、簡単な切欠構造であるから、ブランクの加工，組立て，取り外し等の取り扱いにも容易となる。
【００３４】
図５，図６は、請求項１，請求項２及び請求項６の発明を併せ適用した第４の実施例を示したもので、厚紙を主材とする略四角形の主基板１の長縁側の対向する二辺縁２１に配設された内折線４を介して、それぞれ略四角形をなす板状体の載置部５Ａ，５Ａが延設されており、前記内折線４を介して主基板１上に交互に折り重ねられる形状とされており、円盤形の板状体２枚を載置収納する構造のものである。
【００３５】
図５，図６に示す実施例の板状体８Ａは、図１，図２に示す第１の実施例と同一形状の円盤形のものであるから、載置面において、板状体８Ａの外形の円軌跡３１に合致し、該軌跡３１を横切りうる長さのスリット９Ａが、自由辺縁７寄りの位置に形成されている。
【００３６】
前記載置部５Ａに収納される板状体８Ａは、図１，図２に示す第１の実施例のものと同一の形状であり、また主基板１に折り重ねられた載置部５Ａをさらに保持板１４により外側から被覆し、積層形状に折り重ねるという構造もまた図１，図２，図３及び図４に示す第１，第２の実施例と同一構造のものであるから、同一の構成部分並びに構成部品が適用されている。従って、該構成部分の構造及びその作用の詳細な説明は省略する。
【００３７】
第４の実施例では、図６に示すブランク図の如く、主基板１の辺縁２１の両側に延設された載置部５Ａの自由辺縁７と主基板１の辺縁２２とを結ぶ両者の端縁は、面一に形成されており、その点でのみ図１に示す載置部５Ａと構造上の差を有するが、前述の両辺縁７，２２は、面一に形成されているから、折り畳んだ時の外観が揃って見栄えが良いし、ブランクの形状も簡単となり、板材の節約となる。
【００３８】
図７，図８は、請求項１，請求項３，及び請求項６の発明を併せ適用した実施例５を示すもので、主基板１に連設された保持板１４の主基板１と対称位置の辺縁２３に、図５に示す載置部５Ａと同一構造の板状体８Ａの載置部５Ａが、内折線３８を介して連設されており、他方主基板１の保持板１４と対称位置の辺縁２５にも内折線３８を介して、同一構造の載置部５Ａが連設されており、板状体２枚を載置収納する構造のものである。
【００３９】
図７は、主基板１側の載置部５Ａと保持板１４側の載置部５Ａとが、交互に折り重ねられていない状態において、前記フラップ１２Ａにより、板状体８Ａが収納固定されている構造関係を示しており、図８は、図７に示すものの板材のブランクの形状を示すもので、主基板１，保持板１４並びに載置部５Ａは、折り重ねられた時、略面一の側面が形成されるように、略同一の四角形状とされている。
【００４０】
図８のブランク図に示される如く、対向する主基板１の２辺縁２６と保持板１４の２辺縁２７とは、両者の載置部５Ａの自由辺縁７に面一になるように形成されており、従って主基板１上に一方の載置部５Ａが折り重なり、保持板１４上に他方の載置部５Ａが折り重なり、最後に両者の載置部５Ａが、互いに一体となるように折り畳まれた場合でも、前述の各辺縁は、面一となり外観が揃って見栄えがよく、ブランクの形状も簡単なものとなる。
【００４１】
図９，図１０は、請求項１，請求項４及び請求項６の発明を併せ適用した実施例６を示すもので、主基板１の辺縁２２の折曲線１５ａ，１５ｂを介して保持板１４が連設され、該保持板１４の主基板１と対称位置の辺縁４０に内折線３０ａ，３０ｂを介して第２の主基板２８が延設され、該主基板２８の辺縁４１に内折線４を介して載置部５Ａが延設され、他方前記主基板１の辺縁４１と同一側の辺縁４２には内折線４を介して載置部５Ａが延設されており、円盤形の板状体８Ａ２枚が載置収納される構造とされている。
【００４２】
前記第２の主基板２８の辺縁３５には、折曲線１６ａ，１６ｂを介して留め掛け用の舌片１７が突設されている結合フラップ１８が延設されており、前記保持板１４の端部に穿設された係合スリット１９に挿入係止される形状とされている。
【００４３】
前記主基板１及び第２の主基板２８上にそれぞれ載置部５Ａが折り重ねられ、次いで保持板１４に交互に折り重ねられ、５層の積層された形状の板状体の収納ケースとされるが、載置部５Ａの構造並びに各折曲線の構成部分は、第１，第４の実施例のものと同一の構成部分、構成部品を採用しているので詳細な構造，作用については省略する。
【００４４】
図１１，図１２は、請求項１，請求項５及び請求項６の発明を併せ適用した実施例７を示すもので、図９，図１０に示す実施例の主基板１と第２の主基板２８との間の保持板１４における主基板１の載置部５Ａと対称位置の辺縁４３に、前記載置部５Ａと同一構造の載置部５Ａを延設し、前記第２の主基板２８における図１０に示すものと同一位置の辺縁４１には、第２の主基板２８より前記載置部５Ａを連設し、円盤形の板状体８Ａ３枚が載置収納される構造としたものである。
【００４５】
図１２は、図１１のもののブランク図を示しており、各構成部分は図５，図６，図９並びに図１０に示されるものと同一の構成部分を採用したものである。
【００４６】
図１３，図１４に示す実施例は、図９，図１０に示す実施例における主基板１と第２の主基板２８とにおける載置部５Ａと対称位置の辺縁３６，３７に、第３の載置部３９、第４の載置部４４とを連設し、円盤形の板状体８Ａ４枚を載置収納できる構造としたものであつて、各構成部分は図９，図１０に示されるものと同一の構成部分を採用したものであり、円盤形の板状体８Ａは、同一形状のものを使用するとすれば、前記各載置部３８，３９は、前記載置部５Ａと同一の構成部分，部品を採用することになる。
【００４７】
【発明の効果】
請求項１，請求項６，請求項７の発明によると、厚紙を主材とするブランクにより加工される折り畳み自由な略四角形の主基板と、主基板の辺縁より延設されたＣＤ，ＦＤ等の板状体を収容する載置部とにより形成された簡単な構造の収納ケースであるから、ブランクの形状が単純で加工が容易であり、使用時には板状体の挿脱が自在で手間のかからなく取り扱いが容易であるから経済的効果を奏しめるものである。
【００４８】
ＣＤ，ＦＤ等の板状体の外形形状が、円盤形に限らず角形など多種類の場合でも、載置部が板状体の外形に対応した形状のスリットと固定フラップとにより形成されているから、板状体の装着，保持が確実であり、かつ取り出しも容易にできる操作性の向上が期待できる効果を奏しめるものである。
【００４９】
請求項１，請求項２，請求項３，請求項４，請求項５，請求項６の発明によると、板状体の載置部が主基板の対向する２辺縁に延設されるものとか、あるいは主基板に連設する保持板とにそれぞれ延設されるものとか、主基板と保持板に加えて保持板に連設された第２の主基板に延設されるものとか、その組み合わせにより、必要とする枚数の板状体が簡便に収納され、保持される利便性が得られる効果が有り、かつ各載置部が積み重ねられて、積層形状の収納体とされ、相互に平行な板面が確保出来るので、板状体の収納及び保護という機能が果たされる効果が有り、またブランクの辺縁が面一に形成されているから、折り畳んだ外観も揃って見栄えがよいという効果が有り、かつブランクも凹凸のない単純な形状となるので、板材の節約となる効果を奏しめるものである。
【００５０】
本発明に係る収納ケースは、厚紙を主材としているので、印刷適性が大きく、表裏両面へ美麗な模様，説明文，解説等を任意に、簡単に施しうる利点が大きくプラスチックを主材とする場合に比し、主基板，載置部，保持板等の各面を各種の表示媒体として利用でき、その加工費も廉価としうる効果も有する。
【図面の簡単な説明】
【図１】  請求項１，請求項６の発明を併せ適用した第１の実施例の展開平面図である。
【図２】  図１に示すもののブランク図である。
【図３】  図１に示すものの角形形状の板状体を収納する載置部を適用した第２の実施例の要部の平面図である。
【図４】  図３に示すもののブランク図である。
【図５】  請求項１，請求項２及び請求項６の発明を併せ適用した第４の実施例で２枚の円盤形板状体を収納する載置部の展開平面図である
【図６】  図５に示すもののブランク図である。
【図７】  請求項１，請求項３及び請求項６の発明を併せ適用した第５の実施例で、２枚の円盤形板状体を収納する載置部の配置を示す展開平面図である。
【図８】  図７に示すもののブランク図である。
【図９】  請求項１，請求項４及び請求項６の発明を併せ適用した第６の実施例で、２枚の円盤形板状体を収納する載置部の配置を示す展開平面図である。
【図１０】  図９に示すもののブランク図である。
【図１１】  請求項１，請求項５及び請求項６の発明を併せ適用した第７の実施例３枚の円盤形板状体を収納する載置部の配置を示す展開平面図である。
【図１２】  図１１に示すもののブランク図である。
【図１３】  別の実施例の主基板と第２の主基板の辺縁の対称位置に連設された載置部の配置を示す展開平面図である。
【図１４】  図１３に示すもののブランク図である。
【図１５】  角形形状の板状体を収納する載置部を適用した第３の実施例の要部の平面図である。
【図１６】  従来例を示す斜視図である。
【図１７】  別の従来例を示す斜視図である。
【符号の説明】
１  主基板
３  辺縁
４  内折線
５Ａ  載置部
５Ｂ  載置部
５Ｃ  載置部
７  自由辺縁
８Ａ  板状体
８Ｂ  板状体
８Ｃ  板状体
９Ａ  円弧スリット
９Ｂ  スリット
９Ｃ  直線スリット
１１  辺縁
１２Ａ  固定フラップ
１２Ｂ  固定フラップ
１２Ｃ  固定フラップ
１４  保持板
２３  自由辺縁
２８  第２の主基板
２９  辺縁
３０ａ  内折線
３０ｂ  内折線
３１  外形軌跡
３２  外形軌跡
３３  外形軌跡
【図１】
0003741168.tif 000002
【図２】
0003741168.tif 000003
【図３】
0003741168.tif 000004
【図４】
0003741168.tif 000005
【図５】
0003741168.tif 000006
【図６】
0003741168.tif 000007
【図７】
0003741168.tif 000008
【図８】
0003741168.tif 000009
【図９】
0003741168.tif 000010
【図１０】
0003741168.tif 000011
【図１１】
0003741168.tif 000012
【図１２】
0003741168.tif 000013
【図１３】
0003741168.tif 000014
【図１４】
0003741168.tif 000015
【図１５】
0003741168.tif 000016
【図１６】
0003741168.tif 000017
【図１７】
0003741168.tif 000018